(57)【特許請求の範囲】
【請求項１】
液晶モジュールであって、
本体と、
前記本体に位置し、複数の導線、前記導線を露出する複数の開口、前記導線に結合された発光ダイオード、前記開口により前記導線に結合されたツェナーダイオード、を備える回路板と、
からなり、前記回路板の尺寸を減少してモジュール全体の体積を減少すべく、前記発光ダイオードと前記ツェナーダイオードを、前記回路板に対して垂直方向から見たときに前記導線に平行に配置したことを特徴とする液晶モジュール。
【請求項２】
前記ツェナーダイオードは、溶接により、前記導線に接続されることを特徴とする請求項１に記載の液晶モジュール。
【請求項３】
前記本体は、長方形であることを特徴とする請求項１に記載の液晶モジュール。
【請求項４】
前記本体は、プラスチックからなることを特徴とする請求項１に記載の液晶モジュール。
【請求項５】
前記液晶モジュールは、携帯電話の液晶ディスプレイであることを特徴とする請求項１に記載の液晶モジュール。
【請求項６】
前記液晶モジュールは、PDAの液晶ディスプレイであることを特徴とする請求項１に記載の液晶モジュール。
【請求項７】
液晶モジュールであって、
本体と、
前記本体に位置し、第一側と第二側を備え、前記第一側と前記第二側との間に位置する複数の導線、前記第一側と前記第二側上に位置し、前記導線を露出する複数の開口、前記第一側に位置する前記開口により、前記導線に結合された発光ダイオード、前記第二側に位置する前記開口により、前記導線に結合されたツェナーダイオード、を備える回路板と、
からなり、前記回路板の尺寸を減少してモジュール全体の体積を減少すべく、前記発光ダイオードと前記ツェナーダイオードを、前記第一側と前記第二側とに配置することにより前記導線に配置したことを特徴とする液晶モジュール。
【請求項８】
前記ツェナーダイオードと前記発光ダイオードは、前記第一側と前記第二側の対向する位置に配置されたことを特徴とする請求項７に記載の液晶モジュール。
【請求項９】
前記ツェナーダイオードは、溶接により、前記導線に接続されることを特徴とする請求項７に記載の液晶モジュール。
【請求項１０】
前記本体は、長方形であることを特徴とする請求項７に記載の液晶モジュール。
【請求項１１】
前記本体は、プラスチックからなることを特徴とする請求項７に記載の液晶モジュール。
【請求項１２】
前記液晶モジュールは、携帯電話の液晶ディスプレイであることを特徴とする請求項７に記載の液晶モジュール。
【請求項１３】
前記液晶モジュールは、PDAの液晶ディスプレイであることを特徴とする請求項７に記載の液晶モジュール。
【発明の詳細な説明】
【０００１】
【発明の属する技術分野】
本発明は、液晶モジュール（liquid crystal module）に関するもので、特に、縮小されたフレキシブル回路板（flexible circuit board）を提供する液晶モジュールに関するものであって、液晶モジュールの体積を縮小させる。
【０００２】
【従来の技術】
携帯電話、PDA(Personal Digital Assistant )の尺寸を薄型軽量にするという市場の要求と、それらの液晶ディスプレイを大きくしなければならない趨勢下で、フレームや、回路板等の関連素子は最小化されなければならない。
【０００３】
図１で示されるように、公知の液晶モジュールＰは、本体１００とフレキシブル回路板２００とを備える。フレキシブル回路板２００は、二つの発光ダイオード（Light−Emitting Diode；LED）２１０、二つのツェナーダイオード（Zener Diode）２２０、及び、ポート２５０、からなる。発光ダイオード２１０とツェナーダイオード２２０は組み合わされて、フレキシブル回路板２００の異なる位置に配置される。
【０００４】
図２及び図４において、フレキシブル回路板２００は、複数の導線２３０と、絶縁基板２４０とを備える。導線２３０は、全発光ダイオード２１０とツェナーダイオード２２０をポート２５０に接続するのに用いられる。絶縁基板２４０はプラスチックからなり、導線２３０を囲む。
【０００５】
発光ダイオード２１０とツェナーダイオード２２０の配置は、図３の回路図に示される。発光ダイオード２１０とツェナーダイオード２２０は、導線２３０に結合され、ツェナーダイオード２２０は発光ダイオード２１０に逆並列に接続されている。ツェナーダイオード２２０の抵抗が、発光ダイオード２１０のそれよりも小さいことから、不安定な大電流が発光ダイオード２１０に流れ込むのを防止している。つまり、発光ダイオード２１０が焼壊するのを回避する。
【０００６】
発光ダイオード２１０とツェナーダイオード２２０を接続する接合部（図示しない）が導線２３０にセットされ、周囲を露出し、発光ダイオード２１０とツェナーダイオード２２０のピン（図示しない）が、溶接により導線２３０の接合部に結合されている。
【０００７】
しかし、接合部の配置とフレキシブル回路板２００上の発光ダイオード２１０とツェナーダイオード２２０の配置は固定されており、フレキシブル回路板２００の尺寸は減少しない。つまり、液晶モジュール全体の体積は減少しない。
【０００８】
【発明が解決しようとする課題】
本発明は、液晶モジュールに縮小されたフレキシブル回路板を提供し、液晶モジュール全体の体積を効果的に減少させることを目的とする。
【０００９】
【課題を解決するための手段】
本発明は、複数の開口を備える絶縁基板と、絶縁基板により包囲され、開口により周辺を露出する複数の導線と、からなるフレキシブル回路板を提供する。発光ダイオードとツェナーダイオードは、開口により導線に結合される。これにより、フレキシブル回路板の尺寸を減少させることが出来る。
【００１０】
【発明の実施の形態】
上述した本発明の目的、特徴、及び長所をいっそう明瞭にするため、以下に本発明の好ましい実施の形態を挙げ、図面を参照しながらさらに詳しく説明する。
【００１１】
（第一実施形態）
図７を参照すると、液晶モジュールＦは、長方形本体３００及びフレキシブル回路板４００、及びポート４５０からなる。フレキシブル回路板４００はポート４５０に結合され、本体３００に配置されている。フレキシブル回路板４００は、二つの発光ダイオード４１０、二つのツェナーダイオード４２０、からなり、発光ダイオード４１０とツェナーダイオード４２０が組み合わされて、フレキシブル回路板４００の二つの異なる位置に配置される。本発明において、液晶モジュールＦは、携帯電話、或いは、PDAの液晶ディスプレイで、本体３００は、プラスチックからなる。
【００１２】
図５において、フレキシブル回路板４００は、更に、複数の導線４３０と絶縁基板４４０とからなる。導線４３０は、発光ダイオード４１０とツェナーダイオード４２０をポート４５０に接続し、絶縁基板４４０は導線４３０を包囲する。本発明の第一実施形態において、発光ダイオード４１０とツェナーダイオード４２０は導線４３０に並列で、つまり、発光ダイオード４１０とツェナーダイオード４２０は、絶縁基板４４０の同側に、絶縁基板４４０に対して垂直方向から見たときに導線４３０に平行に配置されている。
【００１３】
図６において、二つの開口Ｗ、Ｗは、絶縁基板４４０上に形成され、対応する導線４３０にそれぞれ、位置する。開口Ｗ、Ｗはスルーホールで、絶縁基板４４０により包囲された導線４３０を露出する。ツェナーダイオード４２０の二つのピン４２１、４２１は、開口Ｗ、Ｗにより、導線４３０に接続されている。本発明において、ツェナーダイオード４２０のピン４２１は溶接により、導線４３０に接続される。
【００１４】
フレキシブル回路板４００の好ましい構造に基づくと、フレキシブル回路板４００の厚さが減少し、これにより液晶モジュールＦ全体の体積も効果的に減少する。
【００１５】
（第二実施形態）
図８を参照すると、第一実施形態におけるフレキシブル回路板４００と同様に、フレキシブル回路板４００’も、ポート４５０に結合されて、本体３００に配置される。フレキシブル回路板４００’がフレキシブル回路板４００と異なるのは、発光ダイオード４１０とツェナーダイオード４２０は、互いに対応し、絶縁基板４４０の異なる側（４４０S１、４４０S２）に位置することである。
【００１６】
図９において、絶縁基板４４０は第一側４４０S１、第二側４４０S２、複数の開口Ｗ、Ｗ、及びＷ’、Ｗ’を備える。開口Ｗ、Ｗは第一側４４０S１に、開口Ｗ’、Ｗ’は第二側４４０S２上に形成される。開口Ｗ、Ｗ、及びＷ’、Ｗ’により、絶縁基板４４０により包囲される導線４３０は周辺を露出し、発光ダイオード４１０のピン４１１、４１１は、開口Ｗ、Ｗにより、導線４３０、４３０に接続され、ツェナーダイオード４２０のピン４１１、４１１は、開口Ｗ、Ｗにより、導線４３０、４３０に接続される。
【００１７】
つまり、発光ダイオード４１０とツェナーダイオード４２０は導線４３０に並列であるが、絶縁基板４４０の異なる側（４４０S１、４４０S２）の対向する位置に配置される。溶接点４３５は、発光ダイオード４１０のピン４１１、導線４３０、ツェナーダイオード４２０のピン４２１の交点に形成され、発光ダイオード４１０とツェナーダイオード４２０はしっかりと、導線４３０に結合される。
【００１８】
フレキシブル回路板４００’全体の体積が減少し、よって、液晶モジュールＦの体積が減少する。
【００１９】
本発明では好ましい実施形態を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００２０】
【発明の効果】
以上のように、本発明によれば、液晶モジュールの体積を減少させることができる。
【図面の簡単な説明】
【図１】公知の液晶モジュールＰを示す図である。
【図２】公知の液晶モジュールＰのフレキシブル回路板を示す図である。
【図３】図２で示されるツェナーダイオードと発光ダイオードの配置図である。
【図４】図２で示されるＡ−Ａに沿った断面図である。
【図５】本発明の第一実施形態におけるフレキシブル回路板を示す図である。
【図６】図５で示されるI−Iに沿った断面図である。
【図７】本発明の第一実施形態における液晶モジュールの平面図である。
【図８】本発明の第二実施形態におけるフレキシブル回路板を示す図である。
【図９】図８で示されるII−IIに沿った断面図である。
【符号の説明】
１００、３００…本体
２００、４００、４００’…フレキシブル回路板
２１０、４１０…発光ダイオード
２２０、４２０…ツェナーダイオード
２３０、４３０…導線
２４０、４４０…絶縁基板
２５０、４５０…ポート
４１１、４１２…ピン
４３５…溶接点
【図１】
0003721174.tif 000002
【図２】
0003721174.tif 000003
【図３】
0003721174.tif 000004
【図４】
0003721174.tif 000005
【図５】
0003721174.tif 000006
【図６】
0003721174.tif 000007
【図７】
0003721174.tif 000008
【図８】
0003721174.tif 000009
【図９】
0003721174.tif 000010